(57)【要約】【課題】作業者が煩雑な作業を行うことなく、梯子支持部の長さを調整できる多段式梯子を提供すること。【解決手段】本発明は、上段側に配設される上段梯子４及び下段側に配設される下段梯子３を含む複数の梯子体が伸縮自在に連結された梯子本体２と、伸縮自在に形成されると共に、上端側が前記上段梯子４に連結され、下端側が前記下段梯子３に着脱可能な梯子支持部５と、を備えることを特徴とする。【選択図】図６
2010180634.tif 000002
【特許請求の範囲】
【請求項１】
上段側に配設される上段梯子及び下段側に配設される下段梯子を含む複数の梯子体が伸縮自在に連結された梯子本体と、
伸縮自在に形成されると共に、上端側が前記上段梯子に連結され、下端側が前記下段梯子に着脱可能な梯子支持部と、を備えることを特徴とする多段式梯子。
【請求項２】
前記梯子支持部は、第１支持部と、前記第１支持部に収容可能に形成される第２支持部と、前記第１支持部と前記第２支持部とを所定の長さで固定する固定部と、を備えることを特徴とする請求項１に記載の多段式梯子。
【請求項３】
前記梯子支持部は、前記上段梯子に回動自在に連結されることを特徴とする請求項１又は２に記載の多段式梯子。
【発明の詳細な説明】
【技術分野】
【０００１】
本発明は、複数の梯子体が伸縮自在に連結された多段式梯子に関し、特に、梯子支持部を備える多段式梯子に関する。
【背景技術】
【０００２】
従来より、電線が架設される電柱には、作業者が電柱に登って電線の点検等を行うことができるように、電柱の外周面に足場ボルトが突設されている。電柱に突設される足場ボルトは、低位置に設けられると人と接触する可能性があるため危険であると共に、例えば、作業者以外の者が電柱に登ることを防止するために、通常、地面から２ｍ程度の高さから設けられることが多い。そのため、作業者は、必要な高さに調節が可能な多段式の梯子を利用して、電柱の足場ボルトが設けられる位置まで移動することが多い。
【０００３】
一方、電柱は、通常、略円柱状に形成されている。そのため、例えば、多段式梯子を電柱に立て掛けると、多段式梯子は非常に不安定になる。特に、多段式梯子を用いて、高所に登るには非常に危険である。これにより、従来、電柱に立て掛けて多段式梯子を使用する場合には、多段式梯子が倒れないように作業補助者に下部を支えてもらい、昇降を行っていた。つまり、多段式梯子を使用するためだけに、作業補助者を連れてこなければならない場合が生じていた。
【０００４】
これに対しては、多段式梯子に梯子支持体を設け、梯子支持体に多段式梯子を支持させることにより、作業者単独でも電柱に立て掛けた梯子の昇降を可能にした多段式梯子が開示されている（例えば、特許文献１参照）。
【先行技術文献】
【特許文献】
【０００５】
【特許文献１】特開２００５−１２０７３７号公報
【発明の概要】
【発明が解決しようとする課題】
【０００６】
しかしながら、特許文献１に記載の多段式梯子は、多段式梯子の長さに合わせて梯子支持部が伸縮可能に形成されているが、梯子支持部それぞれを個別に伸縮させなければならなかった。つまり、多段式梯子を伸縮させた後、梯子支持部それぞれを多段式梯子の長さに合わせて伸縮させなければならなかった。これは、作業者にとって煩雑な作業であった。
【０００７】
本発明は、作業者が煩雑な作業を行うことなく、梯子支持部の長さを調整できる多段式梯子を提供することを目的とする。
【課題を解決するための手段】
【０００８】
本発明は、上段側に配設される上段梯子及び下段側に配設される下段梯子を含む複数の梯子体が伸縮自在に連結された梯子本体と、
伸縮自在に形成されると共に、上端側が前記上段梯子に連結され、下端側が前記下段梯子に着脱可能な梯子支持部と、を備えることを特徴とする。
【０００９】
また、前記梯子支持部は、第１支持部と、前記第１支持部に収容可能に形成される第２支持部と、前記第１支持部と前記第２支持部とを所定の長さで固定する固定部と、を備えることが好ましい。
【００１０】
また、前記梯子支持部は、前記上段梯子に回動自在に連結されることが好ましい。
【発明の効果】
【００１１】
本発明によれば、作業者が煩雑な作業を行うことなく、梯子支持部の長さを調整できる多段式梯子を提供することができる。
【図面の簡単な説明】
【００１２】
【図１】本実施形態に係る多段式梯子の外観を示す外観斜視図である。
【図２】本実施形態に係る多段式梯子の側面を示す側面図である。
【図３】本実施形態に係る多段式梯子の上段梯子と梯子支持部との連結状態を示す部分拡大断面図である。
【図４】本実施形態に係る多段式梯子の上段梯子と梯子支持部との連結部を示す部分拡大図である。
【図５】本実施形態に係る多段式梯子の下段梯子に着脱可能に係止される梯子支持部の係止状態を示す部分拡大図である。
【図６】本実施形態に係る多段式梯子の使用状態を示す外観斜視図である。
【発明を実施するための形態】
【００１３】
以下、本発明を実施するための形態について、図面を参照しながら説明する。
図１は、本実施形態に係る多段式梯子を示す外観斜視図である。図２は、本実施形態に係る多段式梯子の側面を示す側面図である。
【００１４】
図１及び図２に示すように、多段式梯子１は、梯子本体２と、梯子本体２を支持可能な一対の梯子支持部５，５と、を備えて構成されている。
梯子本体２は、梯子本体２のベース用梯子となる下段梯子（梯子体）３と、梯子本体２の伸縮用梯子となる上段梯子（梯子体）４と、を備えて構成されている。また、梯子本体２は、下段梯子３に上段梯子４を伸縮自在に連結し、不図示の操作綱を操作することにより多段に伸長自在となるように構成されている。
【００１５】
下段梯子３は、互いに対向するように配設された一対の支柱３０，３０と、一対の支柱３０，３０それぞれの下端部に設けられる一対の接地部３４，３４と、支柱３０と支柱３０との間において、上下方向に所定の間隔で横架される第１踏桟３１ａ、第２踏桟３１ｂ、第３踏桟３１ｃ、第４踏桟３１ｄ及び第５踏桟３１ｅと、を備えて構成されている。
【００１６】
一対の支柱３０，３０それぞれは、断面視略Ｌ字状に形成されており、梯子本体２の両側に配置される第１の面３２，３２と、梯子本体２の正面側に第１の面３２，３２と直交して配置される第２の面３３，３３と、を備えて構成されている。また、第２の面３３，３３の下端部近傍には、係止孔３６，３６が形成されている。係止孔３６，３６は、矩形状に形成されており、後述の係止爪８０，８０が係止可能に形成されている。
【００１７】
一対の接地部３４，３４それぞれは、一対の支柱３０，３０の端部に回動自在に連結されている。また、一対の接地部３４，３４それぞれは、滑り止め部３８，３８を有して構成されている。滑り止め部３８，３８は、接地部３４，３４の底部に設けられており、滑り止め部３８，３８には、梯子本体２を地面に設置した際に、電柱Ｄ（後述の図６参照）に対して梯子本体２が滑ることを防止する溝部（図示せず）が形成されている。
【００１８】
第１踏桟３１ａ、第２踏桟３１ｂ、第３踏桟３１ｃ、第４踏桟３１ｄ及び第５踏桟３１ｅは、直方体状に形成されており、一の面が上方を向くように配設されている。また、一の面には、作業者の靴底の滑りを防止する滑止部（図示せず）が形成されている。
【００１９】
上段梯子４は、互いに対向するように配設された一対の支柱４０，４０と、一対の支柱４０，４０の間において、上下方向に所定の間隔で横架される第６踏桟４１ａ、第７踏桟４１ｂ、第８踏桟４１ｃ及び第９踏桟４１ｄと、当接部４２と、上段梯子４を下段梯子３に係止させるストッパ部４４と、を備えて構成されている。上段梯子４は、下段梯子３の上方に引き出し可能に下段梯子３に連結されている。
【００２０】
一対の支柱４０，４０それぞれは、断面視略コ字状に形成されており、コ字の凹部同士が対向するように、一対の支柱３０，３０それぞれの内面側に配置されている。また、一対の支柱４０，４０の上端部には、合成樹脂により形成されたキャップ部４３，４３が取り付けられている。キャップ部４３，４３は、一対の支柱４０，４０の上端部を保護すると共に、立て掛けられる電柱Ｄの外周面を傷つけることを防止する（後述の図６参照）。
【００２１】
また、一対の支柱４０，４０それぞれの背面側（梯子本体２の背面側）の上部には、略円形に開口した連結孔４８，４８が形成されている（後述の図３参照）。連結孔４８，４８は、後述の連結具７，７の有するフランジ部７０，７０と係合可能に形成されている。
【００２２】
第６踏桟４１ａ、第７踏桟４１ｂ、第８踏桟４１ｃ及び第９踏桟４１ｄは、直方体状に形成されており、一の面が上方を向くように配設されている。また、一の面には、作業者の靴底の滑りを防止する滑止部（図示せず）が形成されている。
【００２３】
当接部４２は、第９踏桟４１ｄの上方において、一対の支柱４０，４０の間に横架されている。当接部４２は、弾性材料により帯状に形成されており、電柱Ｄの外周面と当接可能に形成されている。当接部４２は、電柱Ｄの外周面と接触すると、弾性変形により延伸し、外周面との接触面積が大きくなるように形成されている（後述の図６参照）。
【００２４】
ストッパ部４４は、支柱４０の下端部の近傍に設けられている。ストッパ部４４は、係止爪部４５を有して構成されている。係止爪部４５は、下段梯子３に設けられる第２踏桟３１ｂ、第３踏桟３１ｃ、第４踏桟３１ｄ及び第５踏桟３１ｅの上部に係止可能な係止部４６と、第３踏桟３１ｃ、第４踏桟３１ｄ及び第５踏桟３１ｅの下部と摺動可能な摺動部４７と、を有して構成されている。
【００２５】
更に、ストッパ部４４は、不図示の付勢部により梯子本体２の正面側に付勢されると共に、前後方向に所定量傾動可能に形成されている。具体的には、ストッパ部４４は、上段梯子４が引き出され、第３踏桟３１ｃ、第４踏桟３１ｄ又は第５踏桟３１ｅの下部と摺動部４７とが接触したときは、付勢部による付勢力に反して、摺動部４７の形状に沿って梯子本体２の背面側に所定量傾動するように形成されている。これにより、ストッパ部４４は、上段梯子４が引き出された場合に、第３踏桟３１ｃ、第４踏桟３１ｄ及び第５踏桟３１ｅを超えて移動することが可能となると共に、付勢部の付勢力により超えた後の第３踏桟３１ｃ、第４踏桟３１ｄ又は第５踏桟３１ｅと係合することが可能になる。
【００２６】
一対の梯子支持部５，５それぞれは、ベース部となる第１支持部５０，５０と、伸縮部となる第２支持部５１，５１と、第２支持部５１，５１の下端部近傍に設けられる係止部８，８と、第２支持部５１，５１の下端部に回動自在に連結される一対の接地部５３，５３と、を備えて構成されている。一対の梯子支持部５，５は、第１支持部５０，５０に第２支持部５１，５１を収納可能に連結させることにより、多段に伸長自在となるように構成されている。
【００２７】
第１支持部５０，５０は、中空の円筒状に形成されている。第１支持部５０の下端部には、固定部の一部を構成するロック孔部６０が形成されている。ロック孔部６０は、略円形状に形成されており、第１支持部５０を貫通するように形成されている。一方、第１支持部５０，５０の上端部は、上段梯子４の一対の支柱４０，４０に回動自在に連結されている。具体的には、第１支持部５０，５０の上端部には、連結具７，７が設けられており、連結具７，７により一対の支柱４０，４０に回動自在に連結されている。
【００２８】
ここで、一対の支柱４０，４０に第１支持部５０，５０を回動自在に連結させる連結具７，７について説明する。
図３は、本実施形態に係る多段式梯子１の上段梯子４と梯子支持部５との連結状態を示す部分拡大断面図である。図４は、本実施形態に係る多段式梯子１の上段梯子４と梯子支持部５との連結部を示す部分拡大図である。
【００２９】
図３及び図４に示すように、連結具７は、略円形状に形成される板状のフランジ部７０と、フランジ部７０から突出した状態に形成される一対の連結支持部７１、７１と、を備えて構成されている。
フランジ部７０は、支柱４０に形成された連結孔４８の口径よりも大きくなるように形成されている。つまり、フランジ部７０は、連結孔４８の周域（一対の支柱４０，４０）と係合可能に形成されている。
【００３０】
一対の連結支持部７１，７１は、フランジ部７０略中央部に形成されている。一対の連結支持部７１，７１は、フランジ部７０が連結孔４８の周域（支柱４０）と係合した状態で、連結孔４８から突出するように形成されている。また、一対の連結支持部７１，７１は、連結孔４８から突出した状態で回動自在になるように形成されている。
【００３１】
一対の連結支持部７１，７１には、孔部７４，７４が形成されている。孔部７４，７４は、第１支持部５０の上端部に形成された孔部と挿通可能に形成されている。連結具７と第１支持部５０とは、第１支持部５０の上端部に形成された孔部と、連結孔４８から突出させた一対の連結支持部７１，７１に形成された孔部７４，７４とを、連結ピン７３で挿通させることにより回動自在に連結される。
【００３２】
第２支持部５１，５１は、中空の円筒状に形成されている。第２支持部５１，５１は、その口径が第１支持部５０，５０の口径よりも小さくなるように形成されており、第１支持部５０，５０の内部に収容可能に形成されている。また、第２支持部５１，５１は、第１支持部５０，５０の内部を摺動可能に形成されている。更に、第２支持部５１，５１は、その長さが第１支持部５０，５０の長さよりも長くなるように形成されており、第１支持部５０，５０の内部に収容された場合に下端部が露出するように形成されている。
【００３３】
第２支持部５１，５１の上端部には、固定部の一部を構成するロック部６，６が形成されている。ロック部６，６は、外方に付勢された状態で第２支持部５１，５１の外周面から突起しており、ロック孔部６０，６０と係合可能に形成されている。ロック部６，６は、ロック孔部６０，６０と係合することにより、第２支持部５１，５１を第１支持部５０，５０に固定可能に形成されている。なお、ロック部６，６は、ロック孔部６０，６０と係合していない状態においては、付勢力に反して第２支持部５１，５１の内部側に窪むように移動可能に形成されている。
【００３４】
係止部８，８は、第２支持部５１，５１の下端部の近傍に設けられている。係止部８，８は、梯子支持部５，５を下段梯子３に着脱可能に係止させる。係止部８，８は、下段梯子３の第２の面３３，３３に形成された係止孔３６，３６に係止可能に形成されている。
【００３５】
ここで、図５に、本実施形態に係る多段式梯子の下段梯子に着脱可能に係止される梯子支持部の係止状態を示す部分拡大図を示す。
図５に示すように、係止部８は、係止爪８０と、連結部８１と、を備えて構成されている。係止爪８０は、連結部８１の先端に形成されている。また、係止爪８０は、係止孔３６に挿通可能に形成されると共に、係止孔３６を挿通した後に、第２の面３３に係合可能に形成されている。
【００３６】
連結部８１は、第２支持部５１の下端部近傍から第２支持部５１と直交する方向に延びるように形成されている。連結部８１は、第１支持部５０に収容状態にある第２支持部５１から、係止爪８０が係止孔３６に係止することが可能な長さに形成されている。また、連結部８１は、第２支持部５１との連結部において、係止爪８０を上方（係止孔３６に係止させる方向）に付勢している。
【００３７】
一対の接地部５３，５３それぞれは、第２支持部５１，５１の下端部に回動自在に連結されている。また、一対の接地部５３，５３それぞれは、滑り止め部５５，５５を有して構成されている。滑り止め部５５，５５は、一対の接地部５３，５３の底部に設けられており、滑り止め部５５，５５には、梯子本体２を地面に設置した際に、電柱Ｄ（後述の図６参照）に対して梯子本体２が滑ることを防止する溝部（図示せず）が形成されている。
【００３８】
次に、本実施形態に係る多段式梯子１の使用方法について説明する。
図６は、本実施形態に係る多段式梯子の使用状態を示す外観斜視図である。
【００３９】
作業者は、まず、不図示の操作綱を操作して、上段梯子４を下段梯子３から引き出し、梯子本体２を伸長させる。
上段梯子４が下段梯子３から引き出される（梯子本体２が伸長する）と、梯子支持部５，５は、梯子本体２の伸長に連動して伸長する。ここで、梯子支持部５，５は、上端部が連結具７，７により上段梯子４に連結され、下端部が係止部８，８により下段梯子３に形成された係止孔３６，３６に係止されている。また、梯子支持部５，５は、伸縮自在に連結された第１支持部５０，５０と第２支持部５１，５１とにより構成されている。これにより、梯子支持部５，５は、梯子本体２の伸長（上段梯子４の移動）に連動して伸長可能になる。
【００４０】
作業者により梯子本体２が最長（適当な）の長さに伸長されると、作業者は、操作綱の操作をやめて、操作綱を固定する。つまり、梯子本体２を所定の長さに固定する。このとき、上段梯子４に設けられるストッパ部４４は、上段梯子４が止められた位置における踏桟の上部に係止する。例えば、梯子本体２が最長になるように伸長させた場合には、ストッパ部４４の係止部４６が、第５踏桟３１ｅの上部に係止される。
【００４１】
ここで、梯子本体２が最長の長さで固定されると、第２支持部５１，５１に形成されたロック部６，６が第１支持部５０，５０に形成されたロック孔部６０，６０に係合し、第２支持部５１，５１が第１支持部５０，５０に固定される。
【００４２】
作業者により梯子本体２が伸長され、第２支持部５１，５１が第１支持部５０，５０に固定されると、作業者は、多段式梯子１を電柱Ｄに立て掛ける。このとき、上段梯子４の上部には、弾性部材により形成された当接部４２が設けられている。そのため、多段式梯子１は、上部を電柱Ｄに密着させることが可能になる。
【００４３】
多段式梯子１が電柱Ｄに電柱に立て掛けられると、次いで、作業者は、梯子支持部５，５の下端部に設けられる係止部８，８と、下段梯子３との連結を解除して、係止部８，８を下段梯子３から外す。係止部８，８を下段梯子３から外すと、作業者は、梯子支持部５，５を梯子本体２が安定する位置に配置させる。このとき、梯子支持部５，５は、連結具７，７により回動自在に連結されているため、作業者は、梯子支持部５，５を容易に梯子本体２が安定する位置に配置させることが可能になる。また、梯子支持部５，５は、梯子本体２の伸長との連動により、適当な長さに伸長されている。そのため、作業者は、梯子支持部５，５それぞれを個別に伸長させたり、固定させたりする必要がない。これにより、容易に作業を開始することが可能になる。
【００４４】
作業が終了すると、作業者は、まず、第２支持部５１，５１それぞれを周方向に回動させ、ロック部６，６と、ロック孔部６０，６０との係止を解除させる。ロック部６，６と、ロック孔部６０，６０との係止が解除されると、作業者は、梯子支持部５，５を梯子本体２に係止させる。具体的には、下段梯子３に形成された係止孔３６，３６に、第２支持部５１，５１に形成された係止部８，８を係止させる。
【００４５】
係止孔３６，３６に係止部８，８が係止されると、作業者は、固定していた操作綱を外して操作綱を操作し、上段梯子４を下段梯子３の方に収容させる。このとき、梯子支持部５，５は、梯子本体２の動作に連動して、第２支持部５１，５１が第１支持部５０，５０に収容される。そのため、作業者は、個別に梯子支持部５，５それぞれを基の長さに戻す作業をすることなく、多段式梯子１を収容することが可能になる。上段梯子４が下段梯子３に収容されると、作業者は多段式梯子１をしまい、作業を終了させる。
【００４６】
以上のような構成を有する本実施形態に係る多段式梯子１によれば、以下のような効果が奏される。
本実施形態に係る多段式梯子１は、梯子本体２を支持可能な梯子支持部５，５を備えて構成されている。そのため、例えば、電柱等の対象物に多段式梯子１を掛止させた場合に、多段式梯子１が倒れるおそれを軽減させることが可能になる。これにより、多段式梯子１の安定した昇降が可能になり、例えば、補助者を設ける必要なく、作業者が単独でも多段式梯子１を利用した作業を行うことが可能になる。また、作業の安全性を向上させることが可能になる。
【００４７】
また、本実施形態に係る梯子支持部５，５は、上端側が上段梯子４に連結され、下端側が下段梯子３に連結されると共に、伸縮自在に形成されている。そのため、上段梯子４を操作して梯子本体２を伸縮させると、梯子本体２の伸縮に連動して梯子支持部５，５を伸縮させることが可能になる。これにより、梯子本体２を伸縮させた後、個別に梯子支持部５，５それぞれを伸縮させる必要がなくなる。また、例えば、多段式梯子１を準備するための時間の短縮が可能になり、多段式梯子１を使用した作業の効率を向上させることが可能になる。
【００４８】
また、本実施形態に係る梯子支持部５，５は、ロック部６，６が設けられている。ロック部６，６は、梯子本体２の伸縮に連動して梯子支持部５，５が伸縮した場合、所定の長さで梯子支持部５，５を固定可能に構成されている。例えば、梯子本体２が最長になった場合に、梯子支持部５，５も最長の長さで固定されるように構成されている。そのため、例えば、梯子支持部５，５が伸縮した後、作業者が改めて梯子支持部５，５の長さを調節して固定させる必要がなくなる。これにより、例えば、多段式梯子１を準備するための時間の短縮が可能になり、多段式梯子１を使用した作業の効率を向上させることが可能になる。
【００４９】
また、本実施形態に係る多段式梯子１は、梯子支持部５，５が上段梯子４に回動自在に連結されている。そのため、梯子本体２を適当に支持するために梯子支持部５，５を配置するための範囲を広げることが可能になる。これにより、例えば、梯子本体２を支持するために梯子支持部５，５の最適な位置を選択することが可能になり、多段式梯子１の昇降時における安全性を向上させることが可能になる。
【００５０】
また、例えば、多段式梯子１を自立させることが可能になった場合においては、多段式梯子１を壁や電柱に立て掛けることが不要になる。そのため、多段式梯子１を立て掛けるために用いていた壁や電柱を傷つける心配がなくなる。これにより、安心して作業を行うことが可能になる。
【００５１】
なお、本発明は、上記実施形態に何ら限定されることはなく、本発明の技術的範囲はこれらに限定されるものではない。
例えば、本実施形態においては、上段梯子４と下段梯子３とを有する、いわゆる２連式の梯子本体２を有する多段式梯子１を用いて説明したが、本発明においてはこれに限定されない。例えば、本発明に係る多段式梯子は、上段梯子と、中段梯子と、下段梯子とを有する、いわゆる３連式の梯子本体を有する多段式梯子に使用してもよい。つまり、本発明に係る多段式梯子は、複数の梯子体が伸縮可能に連結された梯子本体を有する多段式梯子に適用することができる。
【００５２】
また、例えば、本実施形態においては、固定部として、ロック部６，６をロック孔部６０，６０に係合させることにより、第２支持部５１，５１を第１支持部５０，５０に固定させる構成としたが、本発明においてはこれに限定されない。例えば、ロック部６，６は、ロックピンをロック孔部６０，６０に挿着させて第２支持部５１，５１を第１支持部５０，５０に固定させる構成であってもよい。
【符号の説明】
【００５３】
１    多段式梯子
２    梯子本体
３    下段梯子
４    上段梯子
５    梯子支持部
６    ロック部（固定部）
７    連結部
８    係止部
６０    ロック孔部（固定部）
Ｄ    電柱
【図１】
2010180634.tif 000003
【図２】
2010180634.tif 000004
【図３】
2010180634.tif 000005
【図４】
2010180634.tif 000006
【図５】
2010180634.tif 000007
【図６】
2010180634.tif 000008